【誤訳訂正書】
【提出日】平成22年9月1日(2010.9.1)
【誤訳訂正１】
【訂正対象書類名】明細書
【訂正対象項目名】０１６５
【訂正方法】変更
【訂正の内容】
【０１６５】
【図１】本発明に係るオーケストレーションシステムのフローチャートである。
【図２Ａ】“Ｄａｒｎ Ｔｈａｔ Ｄｒｅａｍ”のメロディーライン用に本発明のオーケストレーションシステムによって選択された編曲の楽譜のページである。
【図２Ｂ】“Ｄａｒｎ Ｔｈａｔ Ｄｒｅａｍ”のメロディーライン用に本発明のオーケストレーションシステムによって選択された編曲の楽譜のページである。
【図２Ｃ】“Ｄａｒｎ Ｔｈａｔ Ｄｒｅａｍ”のメロディーライン用に本発明のオーケストレーションシステムによって選択された編曲の楽譜のページである。
【図３Ａ】“Ｏｖｅｒ Ｔｈｅ Ｒａｉｎｂｏｗ”のメロディーライン用に本発明のオーケストレーションシステムによって選択された編曲の楽譜のページである。
【図３Ｂ】“Ｏｖｅｒ Ｔｈｅ Ｒａｉｎｂｏｗ”のメロディーライン用に本発明のオーケストレーションシステムによって選択された編曲の楽譜のページである。
【図３Ｃ】“Ｏｖｅｒ Ｔｈｅ Ｒａｉｎｂｏｗ”のメロディーライン用に本発明のオーケストレーションシステムによって選択された編曲の楽譜のページである。
【図３Ｄ】“Ｏｖｅｒ Ｔｈｅ Ｒａｉｎｂｏｗ”のメロディーライン用に本発明のオーケストレーションシステムによって選択された編曲の楽譜のページである。
【図４Ａ】“７６ Ｔｒｏｍｂｏｎｅｓ”のメロディーライン用に本発明のオーケストレーションシステムによって選択された編曲の楽譜のページである。
【図４Ｂ】“７６ Ｔｒｏｍｂｏｎｅｓ”のメロディーライン用に本発明のオーケストレーションシステムによって選択された編曲の楽譜のページである。
【図４Ｃ】“７６ Ｔｒｏｍｂｏｎｅｓ”のメロディーライン用に本発明のオーケストレーションシステムによって選択された編曲の楽譜のページである。
【図４Ｄ】“７６ Ｔｒｏｍｂｏｎｅｓ”のメロディーライン用に本発明のオーケストレーションシステムによって選択された編曲の楽譜のページである。
【図４Ｅ】“７６ Ｔｒｏｍｂｏｎｅｓ”のメロディーライン用に本発明のオーケストレーションシステムによって選択された編曲の楽譜のページである。
【図５Ａ】“Ｂａｃｋ Ｈｏｍｅ Ａｇａｉｎ Ｉｎ Ｉｎｄｉａｎａ”のメロディーライン用に本発明のオーケストレーションシステムによって選択された編曲の楽譜のページである。
【図５Ｂ】“Ｂａｃｋ Ｈｏｍｅ Ａｇａｉｎ Ｉｎ Ｉｎｄｉａｎａ”のメロディーライン用に本発明のオーケストレーションシステムによって選択された編曲の楽譜のページである。
【図５Ｃ】“Ｂａｃｋ Ｈｏｍｅ Ａｇａｉｎ Ｉｎ Ｉｎｄｉａｎａ”のメロディーライン用に本発明のオーケストレーションシステムによって選択された編曲の楽譜のページである。
【図５Ｄ】“Ｂａｃｋ Ｈｏｍｅ Ａｇａｉｎ Ｉｎ Ｉｎｄｉａｎａ”のメロディーライン用に本発明のオーケストレーションシステムによって選択された編曲の楽譜のページである。
【図６Ａ】ザイオン国立公園への旅行のビデオからの場面にシンクロさせるために自動的に選択された作曲及び編曲の楽譜のページである。
【図６Ｂ】ザイオン国立公園への旅行のビデオからの場面にシンクロさせるために自動的に選択された作曲及び編曲の楽譜のページである。
【図６Ｃ】ザイオン国立公園への旅行のビデオからの場面にシンクロさせるために自動的に選択された作曲及び編曲の楽譜のページである。
【図６Ｄ】ザイオン国立公園への旅行のビデオからの場面にシンクロさせるために自動的に選択された作曲及び編曲の楽譜のページである。
【図６Ｅ】ザイオン国立公園への旅行のビデオからの場面にシンクロさせるために自動的に選択された作曲及び編曲の楽譜のページである。
【図６Ｆ】ザイオン国立公園への旅行のビデオからの場面にシンクロさせるために自動的に選択された作曲及び編曲の楽譜のページである。
【図６Ｇ】ザイオン国立公園への旅行のビデオからの場面にシンクロさせるために自動的に選択された作曲及び編曲の楽譜のページである。
【図６Ｈ】ザイオン国立公園への旅行のビデオからの場面にシンクロさせるために自動的に選択された作曲及び編曲の楽譜のページである。
【図６Ｉ】ザイオン国立公園への旅行のビデオからの場面にシンクロさせるために自動的に選択された作曲及び編曲の楽譜のページである。
【図６Ｊ】ザイオン国立公園への旅行のビデオからの場面にシンクロさせるために自動的に選択された作曲及び編曲の楽譜のページである。
【図６Ｋ】ザイオン国立公園への旅行のビデオからの場面にシンクロさせるために自動的に選択された作曲及び編曲の楽譜のページである。
【図６Ｌ】ザイオン国立公園への旅行のビデオからの場面にシンクロさせるために自動的に選択された作曲及び編曲の楽譜のページである。
【図６Ｍ】ザイオン国立公園への旅行のビデオからの場面にシンクロさせるために自動的に選択された作曲及び編曲の楽譜のページである。
【図６Ｎ】ザイオン国立公園への旅行のビデオからの場面にシンクロさせるために自動的に選択された作曲及び編曲の楽譜のページである。
【図６Ｏ】ザイオン国立公園への旅行のビデオからの場面にシンクロさせるために自動的に選択された作曲及び編曲の楽譜のページである。
【図６Ｐ】ザイオン国立公園への旅行のビデオからの場面にシンクロさせるために自動的に選択された作曲及び編曲の楽譜のページである。
【図６Ｑ】ザイオン国立公園への旅行のビデオからの場面にシンクロさせるために自動的に選択された作曲及び編曲の楽譜のページである。
【図６Ｒ】ザイオン国立公園への旅行のビデオからの場面にシンクロさせるために自動的に選択された作曲及び編曲の楽譜のページである。
【誤訳訂正２】
【訂正対象書類名】図面
【訂正対象項目名】全図
【訂正方法】変更
【訂正の内容】
【図１】
2008527463.tif 000001
【図２Ａ】
2008527463.tif 000002
【図２Ｂ】
2008527463.tif 000003
【図２Ｃ】
2008527463.tif 000004
【図３Ａ】
2008527463.tif 000005
【図３Ｂ】
2008527463.tif 000006
【図３Ｃ】
2008527463.tif 000007
【図３Ｄ】
2008527463.tif 000008
【図４Ａ】
2008527463.tif 000009
【図４Ｂ】
2008527463.tif 000010
【図４Ｃ】
2008527463.tif 000011
【図４Ｄ】
2008527463.tif 000012
【図４Ｅ】
2008527463.tif 000013
【図５Ａ】
2008527463.tif 000014
【図５Ｂ】
2008527463.tif 000015
【図５Ｃ】
2008527463.tif 000016
【図５Ｄ】
2008527463.tif 000017
【図６Ａ】
2008527463.tif 000018
【図６Ｂ】
2008527463.tif 000019
【図６Ｃ】
2008527463.tif 000020
【図６Ｄ】
2008527463.tif 000021
【図６Ｅ】
2008527463.tif 000022
【図６Ｆ】
2008527463.tif 000023
【図６Ｇ】
2008527463.tif 000024
【図６Ｈ】
2008527463.tif 000025
【図６Ｉ】
2008527463.tif 000026
【図６Ｊ】
2008527463.tif 000027
【図６Ｋ】
2008527463.tif 000028
【図６Ｌ】
2008527463.tif 000029
【図６Ｍ】
2008527463.tif 000030
【図６Ｎ】
2008527463.tif 000031
【図６Ｏ】
2008527463.tif 000032
【図６Ｐ】
2008527463.tif 000033
【図６Ｑ】
2008527463.tif 000034
【図６Ｒ】
2008527463.tif 000035